(57)【要約】【課題】利便性を高めた施工品質検査システムおよび方法を提供する。【解決手段】複数の検査対象物の施工品質を検査するためのシステム１００であって、検査対象物を識別するための構造符号と関連付けられた検査対象物の詳細図を記憶する記憶手段１０と、検査対象物と、その構造符号とを関連付けて入力する入力手段１２と、検査対象物の位置と構造符号が記載された位置図を表示するとともに、入力手段１２で入力された構造符号に対応する検査対象物の詳細図を記憶手段１０から読み出して表示する表示手段１２とを備えるようにする。【選択図】図１
2018096171.tif 000002
【特許請求の範囲】
【請求項１】
複数の検査対象物の施工品質を検査するためのシステムであって、
検査対象物を識別するための構造符号と関連付けられた検査対象物の詳細図を記憶する記憶手段と、
検査対象物と、その構造符号とを関連付けて入力する入力手段と、
検査対象物の位置と構造符号が記載された位置図を表示するとともに、入力手段で入力された構造符号に対応する検査対象物の詳細図を記憶手段から読み出して表示する表示手段とを備えることを特徴とする施工品質検査システム。
【請求項２】
記憶手段に記憶されている構造符号に対応する検査対象物の詳細図のデータ名称は、当該構造符号と同一の名称であることを特徴とする請求項１に記載の施工品質検査システム。
【請求項３】
入力手段は、表示手段に表示された検査対象物の詳細図から所定の検査部位を選択して入力可能であることを特徴とする請求項１または２に記載の施工品質検査システム。
【請求項４】
検査対象物の画像を取得する撮像手段と、撮像手段で取得された画像を解析して、画像上の検査対象物の仕様を抽出する仕様抽出手段とをさらに備え、
この抽出結果と、記憶手段に記憶されている比較対照用の検査対象物の仕様との一致度を比較可能であることを特徴とする請求項１〜３のいずれか一つに記載の施工品質検査システム。
【請求項５】
入力手段で入力した構造符号に対応する検査対象物の詳細図と、撮像手段で取得したこの検査対象物の画像とをセットで出力する出力手段をさらに備えることを特徴とする請求項４に記載の施工品質検査システム。
【請求項６】
表示手段は、検査対象物の位置と構造符号が記載された位置図において、検査を完了した検査対象物に対応する構造符号について検査を完了した旨のマークを付けた構造符号として表示し、検査の進捗状況を把握可能であるようにしたことを特徴とする請求項１〜５のいずれか一つに記載の施工品質検査システム。
【請求項７】
複数の検査対象物の施工品質を検査するための方法であって、
検査対象物の位置と、検査対象物を識別するための構造符号が記載された位置図を表示するステップと、
検査対象物と、その構造符号とを関連付けて入力するステップと、
入力された構造符号に対応する検査対象物の詳細図を、構造符号と関連付けられた検査対象物の詳細図を記憶する記憶手段から読み出して表示するステップとを備えることを特徴とする施工品質検査方法。
【発明の詳細な説明】
【技術分野】
【０００１】
本発明は、例えば鉄骨構造建物の躯体工事において、鉄骨の接合部などの品質を検査するのに好適な施工品質検査システムおよび方法に関するものである。
【背景技術】
【０００２】
従来、建築物の施工段階で品質検査をする場合には、検査対象物が示された図面を参照して仕様どおりの品質であるか否かをその都度確認している。その際、検査対象物の図面を検索するのに手間と時間がかかっている。例えば、検査対象物の位置を表す平面図に示されている構造部材の識別情報（以下、「構造符号」という）とその詳細図を検索する場合、最初に平面図で構造符号を探し、次にその構造符号の詳細図を検索するという２段階の作業を行うことになる。
【０００３】
建築物の品質検査を、携帯端末などのＣＡＤ図面を閲覧可能なシステムを用いて行う場合、平面図に掲載されている構造符号とそれに対応する詳細図の関連付けは手作業で行っており、手間がかかる上に間違いが起きるおそれがあるという問題があった。
【０００４】
一方、従来の躯体工事の品質検査システムとして、例えば特許文献１に記載のものが知られている。しかし、この特許文献１では、構造符号と平面図の検査場所との位置関係が不明確である。また、構造符号に複数の図面を関連付けすることが難しいという問題がある。
【０００５】
また、検査場所で検査写真を撮影する場合、該当する詳細図と検査写真が合致していることを、その都度確認しなければならないという問題がある。
【先行技術文献】
【特許文献】
【０００６】
【特許文献１】特開２００４−２３２４４８号公報
【発明の概要】
【発明が解決しようとする課題】
【０００７】
このため、平面図に掲載されている構造符号とそれに対応する詳細図の関連付けなどの手間を減らして、利便性を高めた施工品質検査システムが求められていた。
【０００８】
本発明は、上記に鑑みてなされたものであって、利便性を高めた施工品質検査システムおよび方法を提供することを目的とする。
【課題を解決するための手段】
【０００９】
上記した課題を解決し、目的を達成するために、本発明に係る施工品質検査システムは、複数の検査対象物の施工品質を検査するためのシステムであって、検査対象物を識別するための構造符号と関連付けられた検査対象物の詳細図を記憶する記憶手段と、検査対象物と、その構造符号とを関連付けて入力する入力手段と、検査対象物の位置と構造符号が記載された位置図を表示するとともに、入力手段で入力された構造符号に対応する検査対象物の詳細図を記憶手段から読み出して表示する表示手段とを備えることを特徴とする。
【００１０】
また、本発明に係る他の施工品質検査システムは、上述した発明において、記憶手段に記憶されている構造符号に対応する検査対象物の詳細図のデータ名称は、当該構造符号と同一の名称であることを特徴とする。
【００１１】
また、本発明に係る他の施工品質検査システムは、上述した発明において、入力手段は、表示手段に表示された検査対象物の詳細図から所定の検査部位を選択して入力可能であることを特徴とする。
【００１２】
また、本発明に係る他の施工品質検査システムは、上述した発明において、検査対象物の画像を取得する撮像手段と、撮像手段で取得された画像を解析して、画像上の検査対象物の仕様を抽出する仕様抽出手段とをさらに備え、この抽出結果と、記憶手段に記憶されている比較対照用の検査対象物の仕様との一致度を比較可能であることを特徴とする。
【００１３】
また、本発明に係る他の施工品質検査システムは、上述した発明において、入力手段で入力した構造符号に対応する検査対象物の詳細図と、撮像手段で取得したこの検査対象物の画像とをセットで出力する出力手段をさらに備えることを特徴とする。
【００１４】
また、本発明に係る他の施工品質検査システムは、上述した発明において、表示手段は、検査対象物の位置と構造符号が記載された位置図において、検査を完了した検査対象物に対応する構造符号について検査を完了した旨のマークを付けた構造符号として表示し、検査の進捗状況を把握可能であるようにしたことを特徴とする。
【００１５】
また、本発明に係る施工品質検査方法は、複数の検査対象物の施工品質を検査するための方法であって、検査対象物の位置と、検査対象物を識別するための構造符号が記載された位置図を表示するステップと、検査対象物と、その構造符号とを関連付けて入力するステップと、入力された構造符号に対応する検査対象物の詳細図を、構造符号と関連付けられた検査対象物の詳細図を記憶する記憶手段から読み出して表示するステップとを備えることを特徴とする。
【発明の効果】
【００１６】
本発明に係る施工品質検査システムによれば、複数の検査対象物の施工品質を検査するためのシステムであって、検査対象物を識別するための構造符号と関連付けられた検査対象物の詳細図を記憶する記憶手段と、検査対象物と、その構造符号とを関連付けて入力する入力手段と、検査対象物の位置と構造符号が記載された位置図を表示するとともに、入力手段で入力された構造符号に対応する検査対象物の詳細図を記憶手段から読み出して表示する表示手段とを備えるので、位置図に掲載されている構造符号と詳細図とを関連付けする手間が減り、利便性を高めた施工品質検査システムを提供することができるという効果を奏する。
【００１７】
また、本発明に係る他の施工品質検査システムによれば、記憶手段に記憶されている構造符号に対応する検査対象物の詳細図のデータ名称は、当該構造符号と同一の名称であるので、位置図に掲載されている構造符号をそのままデータ名称として用いることで、詳細図などと関連付けする手間をなくすことができるという効果を奏する。
【００１８】
また、本発明に係る他の施工品質検査システムによれば、入力手段は、表示手段に表示された検査対象物の詳細図から所定の検査部位を選択して入力可能であるので、検査部位の選択を容易にするとともに取り違えるミスをなくすことができるという効果を奏する。
【００１９】
また、本発明に係る他の施工品質検査システムによれば、検査対象物の画像を取得する撮像手段と、撮像手段で取得された画像を解析して、画像上の検査対象物の仕様を抽出する仕様抽出手段とをさらに備え、この抽出結果と、記憶手段に記憶されている比較対照用の検査対象物の仕様との一致度を比較可能であるので、簡便に施工品質を検査することができるという効果を奏する。
【００２０】
また、本発明に係る他の施工品質検査システムによれば、入力手段で入力した構造符号に対応する検査対象物の詳細図と、撮像手段で取得したこの検査対象物の画像とをセットで出力する出力手段をさらに備えるので、検査結果を容易に把握することができるという効果を奏する。
【００２１】
また、本発明に係る他の施工品質検査システムによれば、表示手段は、検査対象物の位置と構造符号が記載された位置図において、検査を完了した検査対象物に対応する構造符号について検査を完了した旨のマークを付けた構造符号として表示し、検査の進捗状況を把握可能であるようにしたので、検査を完了した対象物と、検査を完了していない対象物を容易に把握することができるという効果を奏する。
【００２２】
また、本発明に係る施工品質検査方法によれば、複数の検査対象物の施工品質を検査するための方法であって、検査対象物の位置と、検査対象物を識別するための構造符号が記載された位置図を表示するステップと、検査対象物と、その構造符号とを関連付けて入力するステップと、入力された構造符号に対応する検査対象物の詳細図を、構造符号と関連付けられた検査対象物の詳細図を記憶する記憶手段から読み出して表示するステップとを備えるので、位置図に掲載されている構造符号と詳細図とを関連付けする手間が減り、利便性を高めた施工品質検査方法を提供することができるという効果を奏する。
【図面の簡単な説明】
【００２３】
【図１】図１は、本発明に係る施工品質検査システムおよび方法の実施の形態を示す概略構成図である。
【図２】図２は、検査対象物の位置および構造符号が示された平面図の一例を示す図である。
【図３】図３は、検査対象物の詳細図の一例を示す図である。
【図４】図４は、取得した画像と詳細図の一致性を確認する手順の一例を示す図である。
【図５】図５は、画像取得状況を示す図である。
【図６】図６は、画像解析により検出するボルト中心およびボルトピッチの例を示す図である。
【図７】図７は、検査結果の出力例を示す図である。
【図８】図８は、検査の進捗状況を示す平面図である。
【発明を実施するための形態】
【００２４】
以下に、本発明に係る施工品質検査システムおよび方法の実施の形態を図面に基づいて詳細に説明する。なお、この実施の形態によりこの発明が限定されるものではない。
【００２５】
図１に示すように、本発明に係る施工品質検査システム１００は、複数の検査対象物（例えば鉄骨の接合部など）の施工品質を検査するためのシステムであって、データベース１０（記憶手段）と、タッチパネル１２（入力手段および表示手段）と、カメラ１４（撮像手段）と、演算処理部１６（仕様抽出手段）と、プリンタ１８（出力手段）と、これらを制御するコントローラ２０（制御手段）とを備えている。この施工品質検査システム１００は、例えば市販のタブレット型端末を用いて構成することができる。
【００２６】
データベース１０は、検査対象物の詳細な仕様・構造が記載された部材断面図などの詳細図と、検査対象物の位置と構造符号が記載された平面図（位置図）を記憶するものである。これら設計図、平面図は、設計時などにＣＡＤデータとして作成されたものである。図２に平面図の一例を、図３に構造符号Ｇ１の詳細図の一例を示す。構造符号は検査対象物である構造部材を識別するための識別情報であり、あらかじめ検査対象物ごとに付与されている。各構造符号は、平面図上においては対応する検査対象物の近傍に表示される。また、図３の例に示すように、検査対象物の詳細図は、構造符号Ｇ１と関連付けられている。データベース１０に記憶されている検査対象物の詳細図のデータ名称は、検査対象物の構造符号と同一の名称としている。つまり平面図に掲載されている構造符号をそのまま詳細図のデータ名称として用いている。例えば図３の詳細図のデータ名称はＧ１となっている。このようにデータベースに登録する詳細図のデータ名称を構造符号と同一の名称とすることで、後の検査工程時に、平面図に記載の構造符号とそれに対応する詳細図とを関連付けする手間をなくすことができる。
【００２７】
タッチパネル１２は、検査対象物と、その構造符号とを関連付けて入力するためのものである。このタッチパネル１２は、検査対象物の位置と構造符号が記載された平面図をデータベース１０から読み出して表示可能であるとともに、入力した構造符号に対応する検査対象物の詳細図をデータベース１０から読み出して表示可能である。また、このタッチパネル１２は、検査対象物のうち所定の検査部位を選択的に入力可能である。例えば検査対象物が鉄骨の接合部である場合、ウェブ、上フランジ、下フランジなどの検査部位を選択して入力可能である。このようにすることで、検査部位の選択を容易にするとともに取り違えるミスをなくすことができる。
【００２８】
さらに、このタッチパネル１２は、検査対象物の位置と構造符号が記載された平面図において、検査を完了した検査対象物に対応する構造符号について検査を完了した旨のマークを付けた構造符号として表示する。図８に表示例を示す。これにより、検査を完了した対象物と、検査を完了していない対象物を容易に把握することができる。したがって、検査の進捗状況を容易に把握可能である。
【００２９】
カメラ１４は、検査対象物の画像を取得するためのものであり、一般的なデジタルカメラを用いることができる。施工品質検査システム１００をタブレット型端末を用いて構成する場合には、例えばこの端末に備わるカメラを用いてもよい。
【００３０】
演算処理部１６は、カメラ１４で取得された画像を解析処理して、画像上の検査対象物の仕様を抽出するためのものである。画像解析には、周知のパターンマッチング・アルゴリズムなどを利用した画像解析処理方法を用いることができる。本システム１００では、この抽出結果と、データベース１０にあらかじめ記憶されている比較対照用の検査対象物の仕様との一致度を比較可能となっている。こうすることで、簡便に施工品質を検査することができる。
【００３１】
プリンタ１８は、タッチパネル１２で入力した構造符号に対応する検査対象物の詳細図と、カメラ１４で取得したこの検査対象物の画像とをセットで出力するものである。図７に印刷出力例を示す。これにより、検査結果を容易に把握することができる。
【００３２】
上記の構成によれば、平面図に掲載されている構造符号と詳細図とを関連付けする手間が減り、利便性を高めた施工品質検査システムを提供することができる。
【００３３】
次に、上記の施工品質検査システム１００の利用手順の一例について、鉄骨の接合部の施工品質の検査に適用する場合を例にとり説明する。
【００３４】
（事前準備）
まず、構造符号が記載された平面図（図２を参照）と、各構造符号に対応する接合部の詳細図（図３を参照）をデータベース１０に登録しておく。ここで、各詳細図については、構造符号と同じ名称でデータベース１０に登録しておく。例えば図３の詳細図の場合にはＧ１という名称で登録する。このことにより、以後、平面図に詳細図を関連付けするための編集をする手間がなくなる。
【００３５】
（施工品質検査）
次に、タッチパネル１２に図２のような平面図を表示させる。この平面図には、複数の構造符号と、検査対象物の位置とが記載されている。続いて、この平面図上においてこれから実際に検査をしようとする構造符号の近傍をタップする。これにより、例えばタップした構造符号の周囲が枠で囲まれる等のマークが付けられる。図２の例では、中央上側の構造符号Ｇ１をタップした結果、その周囲に枠のマークが付けられた場合を示している。続いて、これから実際に検査をしようとする検査対象物の位置をタップする。これにより、例えばマークが付けられた構造符号からそこに向かって矢印が表示される。これにより、平面図上で構造符号と検査対象物の位置の関係が対応付けられる。構造符号をタップしてマークを付ける処理、タップした検査対象物と構造符号との間に矢印を付ける処理はコントローラ２０やタッチパネル１２の処理により行うことができる。
【００３６】
このように、平面図上で構造符号と検査対象物の位置を対応付けた後、所定の指示が入力されると、タッチパネル１２は、マークが付けられた構造符号と同じデータ名称の詳細図をデータベース１０から読み出して表示する。この例では図３に示すような詳細図を表示することになる。
【００３７】
（仕様の一致性の確認）
次に、この詳細図と検査対象物の検査部位とを比較して、詳細図に示される仕様と、実際に施工された仕様との一致性を確認する。この一致性の確認は、例えばカメラ１４で検査部位の状況を検査写真として撮影し、この検査写真における仕様が詳細図に示される仕様と一致していることを照合確認することによって行ってもよい。この場合の処理の流れを図４に示す。また、表１に構造符号と検査部位の一例を示す。検査対象物に含まれる検査部位が複数の場合には、詳細図からウェブ、上フランジ、下フランジなどの検査部位を選択する。ただし、検査部位が一つしかない場合は選択する必要はない。
【００３８】
【表１】
2018096171.tif 000003
【００３９】
検査写真を用いて一致性を確認する場合には、図４に示すように、まず、カメラ１２の高さ（位置）、撮影方向を初期化しておく（ステップＳ１）。次に、図５に示すように、検査部位の接合部１のボルトの写真を撮影する一方で（ステップＳ２）、撮影時のカメラ１２の方向・高さ（位置）の情報を取得する（ステップＳ３）。カメラ１２の情報取得はコントローラ２０が行う。
【００４０】
次に、図６に示すような取得画像（検査写真）について画像解析処理を行い、ボルトの中心位置を検出する（ステップＳ４）。検出したボルトの中心位置に基づいて、列ごとのボルト本数、縦横のボルトピッチを検出する（ステップＳ５）。この画像解析処理は演算処理部１６が行う。こうして検出されたものを実際に施工された仕様とする。次に、表２に示すような構造符号の仕様と照合して、構造符号の合致を確認する（ステップＳ６）。表２のようなテーブルはデータベース１０にあらかじめ登録されているものとする。この確認は、画像解析処理により検出された検出仕様と、あらかじめ設定された表２の設定仕様との一致性を比較することで、演算処理部１６またはコントローラ２０が行うようにしてもよいし、検出仕様と設定仕様をタッチパネル１２に対比表示し、ユーザ自身が比較検討することで行ってもよい。
【００４１】
【表２】
2018096171.tif 000004
【００４２】
（印刷）
次に、得られた結果を印刷する。例えば図７に示すように、検査対象物の位置および構造符号を示す平面図と、構造符号に関連する詳細図と、実際の施工状況を表す検査写真をセットにしてわかり易く印刷する。こうすることで、平面図上で選択した構造符号の詳細図の仕様が検査写真に合致していることを容易に確認することができる。
【００４３】
また、例えば図８の平面図に示すように、検査を完了した構造符号を枠のマークで囲んだ状態のまま維持してもよい。こうすることで、検査済の状況を可視化でき、検査の進捗状況を一目で把握することができる。
【００４４】
このように、本実施の形態によれば、平面図に記載されている構造符号をそのままデータベース１０上の詳細図などのデータ名称に用いることで、以後の検査工程において、構造符号と詳細図などとを関連付けする手間を減らすことができる。また、タッチパネル１２などに可視化表示された平面図上で構造符号を選択することにより、検査状況を可視化し、検査対象物および検査部位の選択を容易にするとともに選択ミスをなくすことができる。
【００４５】
以上説明したように、本発明に係る施工品質検査システムによれば、複数の検査対象物の施工品質を検査するためのシステムであって、検査対象物を識別するための構造符号と関連付けられた検査対象物の詳細図を記憶する記憶手段と、検査対象物と、その構造符号とを関連付けて入力する入力手段と、検査対象物の位置と構造符号が記載された位置図を表示するとともに、入力手段で入力された構造符号に対応する検査対象物の詳細図を記憶手段から読み出して表示する表示手段とを備えるので、位置図に掲載されている構造符号と詳細図とを関連付けする手間が減り、利便性を高めた施工品質検査システムを提供することができる。
【００４６】
また、本発明に係る他の施工品質検査システムによれば、記憶手段に記憶されている構造符号に対応する検査対象物の詳細図のデータ名称は、当該構造符号と同一の名称であるので、位置図に掲載されている構造符号をそのままデータ名称として用いることで、詳細図などと関連付けする手間をなくすことができる。
【００４７】
また、本発明に係る他の施工品質検査システムによれば、入力手段は、表示手段に表示された検査対象物の詳細図から所定の検査部位を選択して入力可能であるので、検査部位の選択を容易にするとともに取り違えるミスをなくすことができる。
【００４８】
また、本発明に係る他の施工品質検査システムによれば、検査対象物の画像を取得する撮像手段と、撮像手段で取得された画像を解析して、画像上の検査対象物の仕様を抽出する仕様抽出手段とをさらに備え、この抽出結果と、記憶手段に記憶されている比較対照用の検査対象物の仕様との一致度を比較可能であるので、簡便に施工品質を検査することができる。
【００４９】
また、本発明に係る他の施工品質検査システムによれば、入力手段で入力した構造符号に対応する検査対象物の詳細図と、撮像手段で取得したこの検査対象物の画像とをセットで出力する出力手段をさらに備えるので、検査結果を容易に把握することができる。
【００５０】
また、本発明に係る他の施工品質検査システムによれば、表示手段は、検査対象物の位置と構造符号が記載された位置図において、検査を完了した検査対象物に対応する構造符号について検査を完了した旨のマークを付けた構造符号として表示し、検査の進捗状況を把握可能であるようにしたので、検査を完了した対象物と、検査を完了していない対象物を容易に把握することができる。
【００５１】
また、本発明に係る施工品質検査方法によれば、複数の検査対象物の施工品質を検査するための方法であって、検査対象物の位置と、検査対象物を識別するための構造符号が記載された位置図を表示するステップと、検査対象物と、その構造符号とを関連付けて入力するステップと、入力された構造符号に対応する検査対象物の詳細図を、構造符号と関連付けられた検査対象物の詳細図を記憶する記憶手段から読み出して表示するステップとを備えるので、位置図に掲載されている構造符号と詳細図とを関連付けする手間が減り、利便性を高めた施工品質検査方法を提供することができる。
【産業上の利用可能性】
【００５２】
以上のように、本発明に係る施工品質検査システムおよび方法は、例えば鉄骨構造建物の躯体工事に有用であり、特に、鉄骨の接合部などの品質を検査するのに適している。
【符号の説明】
【００５３】
１００  施工品質検査システム
１０  データベース（記憶手段）
１２  タッチパネル（入力手段、表示手段）
１４  カメラ（撮像手段）
１６  演算処理部（仕様抽出手段）
１８  プリンタ（出力手段）
２０  コントローラ
【図１】
2018096171.tif 000005
【図２】
2018096171.tif 000006
【図３】
2018096171.tif 000007
【図４】
2018096171.tif 000008
【図５】
2018096171.tif 000009
【図６】
2018096171.tif 000010
【図７】
2018096171.tif 000011
【図８】
2018096171.tif 000012